(57)【要約】【課題】  周囲に飛散させることなく適切な量の香水を身体に塗布することができる香水容器を提供する。【解決手段】  香水Ｆを収容する収容部１１と、収容部１１に連設され、香水Ｆを塗布する塗布部１２とを有する香水容器１０において、塗布部１２には毛筆状に形成された刷毛部１３が設けられている。【選択図】  図２
0003205022.tif 000002
【実用新案登録請求の範囲】
【請求項１】
香水を収容する収容部と、前記収容部に連設され、前記香水を塗布する塗布部とを有する香水容器において、前記塗布部には毛筆状に形成された刷毛部が設けられていることを特徴とする香水容器。
【請求項２】
前記収容部は、全体細長円筒状に形成された軸部と、前記軸部の内部に配設され、前記香水を収容する収容本体部とにより構成され、前記刷毛部は前記軸部の先端部に設けられていることを特徴とする請求項１記載の香水容器。
【請求項３】
前記軸部の先端部には、前記刷毛部を被覆しうるキャップ部が着脱可能に配設されていることを特徴とする請求項２記載の香水容器。
【請求項４】
前記キャップ部には、クリップ部が設けられていることを特徴とする請求項３記載の香水容器。
【請求項５】
前記軸部には、装飾部が設けられていることを特徴とする請求項３記載の香水容器。
【考案の詳細な説明】
【技術分野】
【０００１】
本考案は、香水を身体等に塗布することができる容器に関するものである。
【背景技術】
【０００２】
一般に、香水は油状や固体の香料をアルコール等で溶解した溶液であって、身体や衣服に付け、香りを楽しむための化粧品として知られている。従来より、香水を身体や衣服に付けるために、香水を噴霧できる容器が多く存在している。
このような容器は身体や衣服の広範囲に亘って香水を噴霧するため、例えば、身体の腕や首のみに香水を付けるという要請に応えられるものではなかった。また、香水を噴霧した場合には、周囲への飛散を避けたいという要請もあった。
【０００３】
そこで、例えば特許文献１には、塗布ボールを回転自在に備えた香水塗り具付き容器筆記具が開示され、塗布ボールの回転に伴って香水を塗布することができるように構成されている。
しかしながら、特許文献１に記載の技術にあっては、香水の粘度が低い場合に、香水が回転するボールの隙間から多量に浸出する等、塗布する香水の量を調整することが難しいという不具合があった。
本件実用新案登録出願人はこのような観点から先行技術調査を行ったが、前記不具合を解消するような技術は発見できなかった。
【特許文献１】実用新案登録第３０５００８７号公報
【考案の開示】
【考案が解決しようとする課題】
【０００４】
本考案は、以上のような従来からの不具合を解消するためのものであって、その課題は、周囲に飛散させることなく適切な量の香水を身体に塗布することができる香水容器を提供することにある。
【課題を解決するための手段】
【０００５】
前記課題を解決するために、請求項１に記載の考案にあっては、香水を収容する収容部と、前記収容部に連設され、前記香水を塗布する塗布部とを有する香水容器において、前記塗布部には毛筆状に形成された刷毛部が設けられていることを特徴とする。
従って、前記塗布部に設けられた前記刷毛部により前記香水が塗布される。
【０００６】
請求項２に記載の考案にあっては、前記収容部は、全体細長円筒状に形成された軸部と、前記軸部の内部に配設され、前記香水を収容する収容本体部とにより構成され、前記刷毛部は前記軸部の先端部に設けられていることを特徴とする。
【０００７】
従って、前記香水は前記収容本体部に収容され、前記軸部の先端部に設けられた前記刷毛部によって、前記香水が塗布される。
【０００８】
請求項３に記載の考案にあっては、前記軸部の先端部には、前記刷毛部を被覆しうるキャップ部が着脱可能に配設されていることを特徴とする。
従って、前記キャップ部を前記軸部の先端部に配設することによって、前記刷毛部が前記キャップ部に被覆される。
【０００９】
請求項４に記載の考案にあっては、前記キャップ部には、クリップ部が設けられていることを特徴とする。
【００１０】
請求項５に記載の考案にあっては、前記軸部には、装飾部が設けられていることを特徴とする。
【考案の効果】
【００１１】
請求項１〜５に記載の香水容器にあっては、前記塗布部に設けられた前記刷毛部により前記香水が塗布されるので、前記刷毛部に適量の香水を含ませた状態で前記香水を塗布することができる。
その結果、周囲に飛散させることなく適切な量の香水を身体に塗布することができる香水容器を提供することができる。
【００１２】
請求項２に記載の香水容器にあっては、前記香水は前記収容本体部に収容され、前記軸部の先端部に設けられた前記刷毛部によって、前記香水が塗布されるので、前記軸部を把持した状態で前記刷毛部によって身体の所望の箇所に前記香水を塗布することができる。
【００１３】
請求項３に記載の香水容器にあっては、前記キャップ部を前記軸部の先端部に配設することによって、前記刷毛部が前記キャップ部に被覆されるので、前記刷毛部から前記香水が蒸発してしまうといった事態を効果的に防止することができる。
【００１４】
請求項４に記載の香水容器にあっては、前記キャップ部にはクリップ部が設けられているので、例えば、衣類やカバンのポケットに前記軸部を収納すると共に前記クリップ部を挟持させることによって、前記香水容器を前記ポケットに収納して携帯することができる。
【００１５】
請求項５記載の香水容器にあっては、前記軸部には、装飾部が設けられているので、前記装飾部の意匠性により、需要者への訴求効果や広告宣伝効果を奏することができる。
また、請求項５に記載の香水容器にあっては、例えば、芳香の異なる香水を夫々収容した複数の香水容器を用意した場合において、芳香に合わせた装飾を施した装飾部を設けることによって、キャップ部を取り外して芳香を直接確認することなく、必要な香水容器を選び出すことができる。
【図面の簡単な説明】
【００１６】
【図１】図１は、本考案に係る香水容器の一実施の形態を示す斜視図である。
【図２】図２は、本考案に係る香水容器の一実施の形態において、キャップ部を外した状態を示す斜視図である。
【図３】図３は、本考案に係る香水容器の一実施の形態を示す断面図である。
【考案を実施するための最良の形態】
【００１７】
以下、添付図面に示す実施の形態に基づき、本考案を詳細に説明する。
図１〜図３に示すように、本実施の形態に係る香水容器１０は、全体合成樹脂製であって、香水Ｆを収容する収容部１１と、収容部１１に連設され、香水Ｆを塗布する塗布部１２とを有している。
図２及び図３に示すように、本実施の形態に係る香水容器１０にあっては、塗布部１２には刷毛部１３が設けられている。図３に示すように、本実施の形態に係る刷毛部１３は、全体細長円柱状に形成され、先端部２０及び基端部２１は、夫々、先端に至るに従って細くなるテーパー形状の毛筆状に形成されている。
【００１８】
図３に示すように、本実施の形態に係る収容部１１は、全体細長円筒状に形成された軸部１４と、軸部１４の内部に配設され、香水Ｆを収容する収容本体部１５と、軸部１４の基端部２８に挿入固定され、収容本体部１５を軸部１４の先端部１６方向へ押圧して固定する固定部材２９とにより構成されている。
図３に示すように、本実施の形態に係る収容本体部１５は、合成樹脂製の円筒状部材２２に合成繊維による綿状部材２３を充填することにより構成されている。本実施の形態に係る綿状部材２３は、香水Ｆを染みこませることによって、香水Ｆを保持しうるように構成されている。
また、図２及び図３に示すように、本実施の形態に係る刷毛部１３は軸部１４の先端部１６から外方へ突出して設けられ、刷毛部１３の基端部２１が収容本体部１５の綿状部材２３内に挿入固定されている。
本実施の形態にあっては、綿状部材２３に染みこんだ香水Ｆが刷毛部１３の基端部２１から先端部２０へと毛細管現象により吸い上げられ、香水Ｆが先端部２０に供給されるように構成されている。
【００１９】
図１〜図３に示すように、本実施の形態に係る軸部１４の先端部１６には、刷毛部１３を被覆しうるキャップ部１７が着脱可能に配設されている。
また、図１及び図３に示すように、本実施の形態に係るキャップ部１７には、クリップ部１９が設けられている。
図１及び図３に示すように、本実施の形態に係るクリップ部１９は、全体爪状に形成され、基端部２４がキャップ部１７に固定されると共に、先端部２５には突起部２６が設けられている。
また、図１及び図２に示すように、本実施の形態に係る軸部１４には、装飾部２７が設けられている。図示しないが、本実施の形態に係る装飾部２７は、香水Ｆの芳香に合わせた色彩が付されている。
【００２０】
以下、本実施の形態に係る香水容器１０の作用について、添付図面を用いて説明する。
図１〜図３に示すように、本実施の形態に係る香水容器１０を使用する場合には、まずキャップ部１７を軸部１４から外し、軸部１４の先端部１６に設けられた刷毛部１３を露出する。その後、図２及び図３に示すように、軸部１４を把持して、刷毛部１３を身体等の塗布対象に接触させる。
この際、図３に示すように、本実施の形態にあっては、綿状部材２３に染みこんだ香水Ｆが刷毛部１３の基端部２１から先端部２０へと毛細管現象により吸い上げられ、香水Ｆが先端部２０に供給されることにより、刷毛部１３から身体等の塗布対象に対して香水Ｆが塗布される。
【００２１】
従って、図２及び図３に示すように、本実施の形態に係る香水容器１０にあっては、塗布部１２に設けられた刷毛部１３により香水Ｆが塗布されるので、刷毛部１３に適量の香水を含ませた状態で香水Ｆを塗布することができる。
その結果、周囲に飛散させることなく適切な量の香水を身体に塗布することができる香水容器を提供することができる。
【００２２】
また、図３に示すように、本実施の形態に係る香水容器１０にあっては、香水Ｆは収容本体部１５に収容され、軸部１４の先端部１６に設けられた刷毛部１３によって、香水Ｆが塗布されるので、軸部１４を把持した状態で刷毛部１３によって身体の所望の箇所に香水Ｆを塗布することができる。
【００２３】
また、図１〜図３に示すように、本実施の形態に係る香水容器１０にあっては、キャップ部１７を軸部１４の先端部１６に配設することによって、刷毛部１３がキャップ部１７に被覆されるので、刷毛部１３から香水Ｆが蒸発してしまうといった事態を効果的に防止することができる。
【００２４】
また、図１及び図３に示すように、本実施の形態に係る香水容器１０にあっては、キャップ部１７にはクリップ部１９が設けられているので、例えば、衣類やカバンのポケットに軸部１４を収納すると共にクリップ部１９を挟持させることによって、本実施の形態に係る香水容器１０を前記ポケットに収納して携帯することができる。
【００２５】
また、図１及び図２に示すように、本実施の形態に係る香水容器１０にあっては、軸部１４に装飾部２７が設けられているので、装飾部２７の意匠性により、需要者への訴求効果や広告宣伝効果を奏することができる。
また、さらに本実施の形態に係る香水容器１０にあっては、例えば、芳香の異なる香水を夫々収容した複数の香水容器を用意した場合において、芳香に合わせた装飾を施した装飾部２７を設けることによって、キャップ部１７を取り外して芳香を直接確認することなく、必要な香水容器を選び出すことができる。
【産業上の利用可能性】
【００２６】
本考案は、香水容器に広く適用可能であり、産業上利用可能性を有している。
【符号の説明】
【００２７】
１０：香水容器
１１：収容部
１２：塗布部
１３：刷毛部
１４：軸部
１５：収容本体部
１６：軸部の先端部
１７：キャップ部
１９：クリップ部
２０：刷毛部の先端部
２１：刷毛部の基端部
２２：円筒状部材
２３：綿状部材
２４：クリップ部の基端部
２５：クリップ部の先端部
２６：突起部
２７：装飾部
２８：軸部の基端部
２９：固定部材
【図１】
0003205022.tif 000003
【図２】
0003205022.tif 000004
【図３】
0003205022.tif 000005